(57)【特許請求の範囲】
【請求項１】
電子銃からエミッション電流を流出させる装置において、
エミッション電流をフィードバックして電子銃のフィラメント電流を供給して電子銃を駆動する電子銃駆動回路と、
前記電子銃の駆動源を構成する高電圧電源から電子銃駆動回路へ流入する電流を測定する電流計と、
前記電子銃駆動回路を制御する制御回路とを備え、
前記制御回路は、電子銃のウェーネルトに電圧を印加するウェーネルト電圧指令と、フィラメント電流を制限する制限電流値指令を電子銃駆動回路に発し、前記ウェーネルト電圧の印加によりエミッション電流の流出を停止させた状態において前記電流計で取得した電流値を高電圧漏れ電流として取得する、高電圧漏れ電流測定装置。
【請求項２】
前記電子銃駆動回路は可変電源及び電流制限回路を有し、
前記可変電源は、前記ウェーネルト電圧指令に基づいてウェーネルトに電圧を印加し、
前記電流制限回路は、前記制限電流値指令に基づいてフィラメントに供給するフィラメント電流を制限する、請求項１に記載の高電圧漏れ電流測定装置。
【請求項３】
前記ウェーネルト電圧指令は、フィラメントからエミッション電流の流出を停止するカットオフ電圧を指令し、
前記制限電流値指令は、フィラメントを所定温度に維持する電流値を指令する、請求項２に記載の高電圧漏れ電流測定装置。
【請求項４】
電子銃からのエミッション電流の一部を電子ビームとして被検体に照射してＴＦＴアレイ検査を行うＴＦＴアレイ検査装置において、
前記請求項１乃至３のずれかに記載の高電圧漏れ電流測定装置を備え、
前記高電圧漏れ電流測定装置が備える制御回路による測定モードの切り換えによりＴＦＴアレイの検査中に高電圧漏れ電流を自動測定する、ＴＦＴアレイ検査装置。
【発明の詳細な説明】
【技術分野】
【０００１】
本発明は、電子銃からエミッション電流を流出させる装置において、電子銃の高電圧漏れ電流を測定する装置、及びこの高電圧漏れ電流測定装置を備えるＴＦＴアレイ検査装置に関する。
【背景技術】
【０００２】
ＴＦＴアレイ検査装置は、欠陥検出用信号パターンでＴＦＴ基板を駆動し、その結果ＴＦＴ基板に発生するＩＴＯ電圧を電子ビーム照射により発生する二次電子の強度で検出し、アレイ全体の良否を判定する。このようなＴＦＴアレイ検査装置のように電子銃から照射した電子ビームを用いて測定を行う他、半導体製造装置においては電子銃から照射して電子ビームを用いた対象物を加工することも行われている。
【０００３】
このような電子銃を備えた各種装置においては、検査精度や加工精度を維持するために電子銃の劣化を把握する必要がある。
【０００４】
例えば、ＴＦＴアレイ検査装置においては、電子銃の劣化により高電圧漏れ電流が増えると電子ビーム量の大きく変化する。ＴＦＴアレイ検査装置の信号処理は、電子銃から射出する電子ビーム量が一定であることを前提としているため、高電圧漏れ電流の増加に伴って電子ビーム量が大きく変化すると、正常部分についても「擬似欠陥」と誤って認識し、検査装置の欠陥検出率が低下する。
【０００５】
電子銃のフィラメントから放出される単位時間当たりの電子量はエミッション電流と呼ばれる。また、被検体に照射される単位時間当たりの電子量はビーム電流であり、エミッション電流に応じて変動する。電子銃はビーム電流が一定であることが求められるが、ビーム電流を一定に制御する制御回路は複雑で高価となるため、一般には、比較的に安価で簡易な構造とすることができる、エミッション電流を一定に制御する制御回路が用いられている。制御回路は、通常、高電圧電源から駆動回路に流れ込む電流をエミッション電流とし、この電流が一定となるように制御している。
【０００６】
しかしながら、高電圧電源から駆動回路へ流れ込む電流には、フィラメントから放出されるエミッション電流の他に、高電圧を絶縁している碍子の表面に流れる高電圧漏れ電流も含まれるため、制御回路は、エミッション電流ではなく、（エミッション電流＋高電圧漏れ電流）が一定と否かを監視している。
【０００７】
図１２（ａ）は、正常の稼働状態における概略構成を示し、図１３（ａ）は正常の稼働状態における電流状態を示している。電子銃が正常動作を行っている場合には、高電圧漏れ電流は制御上無視できる程度の大きさであるため（図１３（ａ）中の高電圧漏れ電流ｃ）、“エミッション電流＋高電圧漏れ電流”（図１３（ａ）中のａ＋ｃ）の変化は、おおむねエミッション電流（図１３（ａ）中のａ）の変化と見なすことができる。したがって、（エミッション電流＋高電圧漏れ電流）の変化に応じてフィラメント電流を制御することで、エミッション電流を一定値に保持することができる（図１３（ａ）中のａ′）。
【０００８】
図１３（ｂ）は、高電圧漏れ電流の変動状態における電流状態を示している。高電圧漏れ電流が大きく変動している場合には（図１３（ｂ）中の高電圧漏れ電流ｃ）、エミッション電流が一定である場合であっても（図１３（ｂ）中のエミッション電流ａ）、“エミッション電流＋高電圧漏れ電流”（図１３（ｂ）中のａ＋ｃ）は、高電圧漏れ電流の変化に伴って変化する。したがって、（エミッション電流＋高電圧漏れ電流）の変化に応じてフィラメント電流を制御することで、エミッション電流が変動することになる（図１３（ｂ）中のａ′）。このように、エミッション電流の変動がビーム電流の変動に影響するため、エミッション電流が一定であるにもかかわらず、ビーム電流が変動することになる。ビーム電流の変動は、ＴＦＴアレイ検査装置においては欠陥の検査精度を低下させることになる。
【０００９】
高電圧漏れ電流が大きく変動する要因としては、絶縁碍子の汚染による絶縁抵抗の低下、異物の付着による絶縁間距離の等価的な減少が知られている。したがって、高電圧漏れ電流の変動を監視することによって、電子銃や周辺部品の不都合を把握することができる。
【００１０】
従来、高電圧漏れ電流を測定するには、電子銃を備える装置の稼働を停止させ、手動によるメンテナンス操作で行っている。手動操作では、電子銃のフィラメントへの駆動回路を停止して、フィラメントから放出されるエミッション電流を零とし、この状態において、高電圧電源から駆動回路に流れ込む電流を高電圧漏れ電流として検出する。検出した高電圧漏れ電流値に基づいて良否判定を行う。メンテナンス処理が終了した後は、手動で装置の稼働を再開させる。
【００１１】
図１２（ｂ）は、高電圧漏れ電流の測定状態を示している。装置の稼働を停止させることで電子銃から放出されるエミッション電流を止め、このときに電流計によって高電圧電源から駆動回路に流れ込む電流を、高電圧漏れ電流として測定する。
【発明の開示】
【発明が解決しようとする課題】
【００１２】
手動によるメンテナンス操作による高電圧漏れ電流の測定は、種々の課題を含んでいる。
【００１３】
高電圧漏れ電流の検出は、手動によって装置稼働を停止させる必要があるため、装置を停止させている時間が長くなり、単位時間当たりの検査数量に限界がある。
【００１４】
手動操作によるため、誤操作、操作に熟練の程度により作業時間が長くなる場合があり、生産計画のスケジュールの実行効率を向上させることが難しい。
【００１５】
生産計画等の関係から、装置稼働を停止することができない場合には、設定した間隔で検査することが難しく、検査間隔が長くなると不具合の早期発見が難しい。
【００１６】
そこで、本発明は上記課題を解決し、手動によって装置稼働を停止させることなく、高電圧漏れ電流を自動測定することを目的とする。
【課題を解決するための手段】
【００１７】
上記目的を解決するために、本発明の高電圧漏れ電流測定装置は、電子銃からエミッション電流を流出させる装置において、電子銃を駆動する電子銃駆動回路と、電子銃の駆動源を構成する高電圧電源から電子銃駆動回路へ流れ込む電流を測定する電流計と、電子銃駆動回路を制御する制御回路とを備える。
【００１８】
制御回路は、電子銃駆動回路を制御して、電子銃からエミッション電流を流出させない測定モードとし、この測定モードにおける電流計の電流値を高電圧漏れ電流として取得する。
【００１９】
電子銃駆動回路は、電子銃のフィラメントにフィラメント電流を供給する等の動作をさせることで駆動する。フィラメントはフィラメント電流によって加熱される。加熱されたフィラメントは電子を放出し、エミッション電流を流出する。
【００２０】
電流計は、高電圧電源から駆動回路に流れ込む電流を測定する。電子銃からエミッション電流が流出する場合には、電流計はこのエミッション電流を測定する。また、高電圧漏れ電流が存在する場合には、電流計は、この高電圧漏れ電流を含むエミッション電流を測定する。
【００２１】
制御回路は、電子銃駆動回路を制御して、電子銃からエミッション電流を流出させない測定モードとする。測定モードでは、電子銃からはエミッション電流が流出しないため、このとき電流計が測定する電流値は高電圧漏れ電流となる。
【００２２】
本発明の高電圧漏れ電流測定装置は、電子銃からエミッション電流を流出させない測定モードのための構成として複数の態様を備える。
【００２３】
第１の態様は、フィラメント電流を停止することでエミッション電流の流出を停止させるものであり、第２の態様は、フィラメント電流を制限することでエミッション電流の流出を停止させるものであり、第３の態様は、ウェーネルトに電圧を印加することでエミッション電流の流出を停止させるものである。
【００２４】
第１の態様の構成は、電子銃からエミッション電流を流出させる装置において、電子銃にフィラメント電流を供給して電子銃を駆動する電子銃駆動回路と、電子銃の駆動源を構成する高電圧電源から電子銃駆動回路へ流れ込む電流を測定する電流計と、電子銃駆動回路を制御する制御回路とを備える。
【００２５】
制御回路は、電子銃へのフィラメント電流の供給を停止させるフィラメント電流オフ指令を電子銃駆動回路に発する。電子銃駆動回路は、このフィラメント電流オフ指令を受けて、フィラメント電流の供給を停止する。電流計は、フィラメント電流停止時の電流値を高電圧漏れ電流として取得する。
【００２６】
第２の態様の構成は、電子銃からエミッション電流を流出させる装置において、電子銃のフィラメント電流を制御し電子銃を駆動する電子銃駆動回路と、電子銃の駆動源を構成する高電圧電源から電子銃駆動回路へ流れ込む電流を測定する電流計と、電子銃駆動回路を制御する制御回路とを備える。
【００２７】
制御回路は、電子銃に供給するフィラメント電流値を低減するフィラメント電流低減指令を電子銃駆動回路に発する。電子銃駆動回路は、このフィラメント電流低減指令を受けて、フィラメント電流を低減する。電子銃は、供給されるフィラメント電流が低減することで、エミッション電流の流出が停止する。電流計は、フィラメント電流低減時の電流値を高電圧漏れ電流として取得する。
【００２８】
電子銃駆動回路は電流低減回路を有し、この電流低減回路は、フィラメント電流低減指令に基づいてフィラメントに供給するフィラメント電流を低減する。この低減されたフィラメント電流値は、フィラメントからのエミッション電流の流出が停止する電流値である。
【００２９】
第２の態様によれば、フィラメントには、エミッション電流が流出しない程度のフィラメント電流が流れる。そのため、フィラメントは所定温度に保持され、測定モード時と装置稼働時との温度差を縮小することができる。これによって、測定モードの前後における装置稼働モードでのフィラメントや周囲の温度状態の変化を抑制することができる。
【００３０】
第３の態様の構成は、電子銃からエミッション電流を流出させる装置において、エミッション電流をフィードバックして電子銃のフィラメント電流を供給して電子銃を駆動する電子銃駆動回路と、電子銃の駆動源を構成する高電圧電源から電子銃駆動回路へ流れ込む電流を測定する電流計と、電子銃駆動回路を制御する制御回路とを備える。
【００３１】
制御回路は、電子銃にウェーネルトに電圧を印加するウェーネルト電圧指令と、フィラメント電流を制限する制限電流値指令を電子銃駆動回路に発する。ウェーネルト電圧の印加によってエミッション電流の流出を停止させ、この状態において電流計で取得した電流値を高電圧漏れ電流として取得する。
【００３２】
電子銃駆動回路は、エミッション電流をフィードバックして電子銃のフィラメント電流を制御するため、ウェーネルト電圧の印加によってエミッション電流の流出を停止させると、エミッション電流を増加させようとしてフィラメント電流を増加させる制御を行う。フィラメント電流の増加はフィラメントの温度を高めるため、フィラメント及びその周囲の温度状態が変化する。このとき、制限電流値指令によりフィラメント電流を制限することによって、フィラメントの温度上昇を抑制して、フィラメント及びその周囲の温度状態を通常と同様にする。
【００３３】
電子銃駆動回路は可変電源及び電流制限回路を有する。可変電源は、ウェーネルト電圧指令に基づいてウェーネルトに電圧を印加し、電流制限回路は、制限電流値指令に基づいてフィラメントに供給するフィラメント電流を制限する。
【００３４】
ここで、ウェーネルト電圧指令は、フィラメントからエミッション電流の流出を停止するカットオフ電圧を指令し、制限電流値指令は、フィラメントを所定温度に維持する電流値を指令する。
【００３５】
第３の態様によれば、フィラメントには、フィラメントを所定温度に維持する電流を流した状態でフィラメント電流を停止することができるため、フィラメントは所定温度に保持し、測定モード時と装置稼働時との温度差を縮小することができる。これによって、測定モードの前後において、装置稼働モードでのフィラメントや周囲の温度状態の変動を抑制することができる。装置稼働中に高電圧漏れ電流の測定を行っても、測定による装置稼働の温度環境を一定とすることができる。
【００３６】
また、本発明の高電圧漏れ電流測定装置は、ＴＦＴアレイ検査装置に適用することができ、電子銃からのエミッション電流の一部を電子ビームとして被検体に照射してＴＦＴアレイ検査を行うＴＦＴアレイ検査装置において、本発明の高電圧漏れ電流測定装置を備えた構成とし、高電圧漏れ電流測定装置が備える制御回路による測定モードの切り換えによりＴＦＴアレイの検査中に高電圧漏れ電流を自動測定する。
【発明の効果】
【００３７】
本発明の高電圧漏れ電流測定装置及びＴＦＴアレイ検査装置によれば、手動によって装置稼働を停止させることなく、高電圧漏れ電流を自動で測定することができる。
【発明を実施するための最良の形態】
【００３８】
以下、本発明の実施の形態について図を参照しながら詳細に説明する。
【００３９】
図１は本発明の概略を説明するためのブロック図であり、図１（ａ）は高電圧漏れ電流測定装置を含む装置の稼働状態を示し、図１（ｂ）は高電圧漏れ電流測定装置による測定状態を示している。
【００４０】
図１（ａ）において、ビーム電流を用いる装置は、電子を放出する電子銃２と、電子銃２に駆動電流を供給する電子銃駆動回路３と、高電圧電源４と、高電圧電源４から電子銃駆動回路３に流れ込む電流を測定する電流計５とを備える。
【００４１】
電子銃２は、電子銃駆動回路３から供給される駆動用電流によってフィラメントから電子を放出し、エミッション電流が流れる。このエミッション電流の内、対象物（図示しない）にはビーム電流が流れる。
【００４２】
電子銃駆動回路３は、電流計５で測定した電流をフィードバックしてフィラメントに流す電流を制御する。
【００４３】
ここで、高電圧漏れ電流は、電子銃２から発生する漏れ電流ｅ-1、電子銃駆動回路３の出力側で発生する漏れ電流ｅ-2、電流計５と電子銃駆動回路３の間で発生する漏れ電流ｅ-3、含む。これら高電圧漏れ電流（ｅ-1，ｅ-2，ｅ-3）は、エミッション電流ｅ-0を共にグラウンドから高圧電源４を通って、電子銃駆動回路３へフィードバックされる。したがって、駆動用電流及びフィードバック電流ｅ-は（ｅ-0＋ｅ-1＋ｅ-2＋ｅ-3）で表される。
【００４４】
図１（ｂ）において、高電圧漏れ電流測定装置は電流計５が測定する電流を入力し、電子銃駆動回路３に自動測定指令を発する制御回路１０を備える。測定状態において、制御回路１０は電子銃駆動回路３に自動測定指令を発する。電子銃駆動回路３は、自動測定指令を受けて、電子銃２に対して駆動電流を停止したり、測定用電流を流す。これによって、電子銃２からはエミッション電流の流出が停止される。
【００４５】
電流計５は、このエミッション電流が停止した状態において、高電圧電源４から電子銃駆動回路３へ流れ込む電流を測定する。電流計５で測定した電流を高電圧漏れ電流として入力し、この高電圧漏れ電流に基づいて電子銃の動作状態や交換時期の判断等の判定を行う。
【００４６】
制御回路１０による測定は、予め設定しておいたプログラムに従って行うことができ、プログラムに従って自動測定指令を発することによって、電子銃を備える装置が稼働中に、装置を停止することなく行うことができる。
【００４７】
次に、本発明の高電圧漏れ電流測定装置が含む複数の態様について説明する。以下では、フィラメント電流を停止することでエミッション電流の流出を停止させる第１の態様を図２〜図４を用いて説明し、フィラメント電流を制限することでエミッション電流の流出を停止させる第２の態様を図５〜図７を用いて説明し、ウェーネルトに電圧を印加することでエミッション電流の流出を停止させる第３の態様を図８〜図１１を用いて説明する。
【００４８】
はじめに、第１の態様について説明する。図２は第１の態様の概略構成を説明するためのブロック図である。
【００４９】
図２において、電子ビームを用いる装置は、電子銃２と電子銃２にフィラメント電流を供給して電子銃２を駆動する電子銃駆動回路３と、電子銃２の駆動源を構成する高電圧電源４と、高電圧電源４から電子銃駆動回路３へ流れ込む電流を測定する電流計５と、電子銃駆動回路３を制御する制御回路１０とを備える。
【００５０】
高電圧漏れ電流測定装置１は、上記した装置構成において、制御回路１０中に測定モードに設定する機能、及び測定モード時に電流計５が測定する電流を高電圧漏れ電流として入力し、測定電流に基づいて電子銃の動作状態や交換時期の判断等の判定を行う機能を備える。
【００５１】
電子銃２はフィラメント２ａを備え、フィラメント電流の供給を受けて真空チャンバ２ｃ内に電子を放出する。フィラメント２ａの前方には、電子の放出を制御するウェーネルト２ｂを備える。フィラメント２ａから放出された電子はエミッション電流２ｄを形成し、その一部はビーム電流２ｅとして被検体９に照射される。
【００５２】
電子銃駆動回路３は、フィラメント２ａに駆動用電流あるいは測定用電流を供給するフィラメント電流ドライバ３ａを備える。フィラメント電流ドライバ３ａは、制御回路１０からの制御信号に基づいて、装置稼働時には駆動用電流をフィラメント２ａに供給し、測定時には測定用電流をフィラメント２ａに供給する。
【００５３】
制御回路１０は、測定全体を制御するホスト制御回路１０ａと、電子銃駆動回路３を制御する機能と、測定電流に基づいて電子銃の動作状態や交換時期の判断等の判定を行う機能を主に制御するローカル制御回路１０ｃを備える。
【００５４】
ホスト制御回路１０ａは自動測定ソフトウエア１０ｂを備え、ローカル制御回路１０ｃにコマンドやデータを送って、電子ビームを用いた基板検査動作や加工動作等の装置稼働時における制御や、高電圧漏れ電流を測定する測定時における制御を指令する。
【００５５】
ローカル制御回路１０ｃは、ホスト制御回路１０ａから送られるコマンドやデータに基づいて、装置稼働モードあるいは測定（高電圧漏れ電流測定）モードを設定し、各モードにおいて電子銃駆動回路３を制御する。
【００５６】
装置稼働モードでは、ローカル制御回路１０ｃはエミッション電流指令値を電子銃駆動回路３に指令する。電子銃駆動回路３は、このエミッション電流指令値と、電流計５を介してフィードバックされたエミッション電流値（測定値）とを比較し、エミッション電流値（測定値）がエミッション電流指令値と一致するように、フィラメント２ａに流すフィラメント電流を制御する。
【００５７】
高電圧漏れ電流測定モードでは、ローカル制御回路１０ｃはフィラメントオフ指令を電子銃駆動回路３に指令する。電子銃駆動回路３は、このフィラメントオフ指令に基づいて、フィラメント電流ドライバ３ａからフィラメント２ａへのフィラメント電流の出力を停止する。
【００５８】
電子銃２は、フィラメント電流が停止することによって、エミッション電流２ｄの流出が停止する。したがって、電流計５は、電子銃や制御回路からの漏れ電流を測定する。ローカル制御回路１０ｃは、電流計５で測定した電流を入力する。この電流は、フィラメント電流が停止された状態では、上記したように高電圧漏れ電流である。ローカル制御回路１０ｃは、電流計５の測定電流値を入力することで高電圧漏れ電流値を取得する。また、ローカル制御回路１０ｃは、ホスト制御回路１０ａに格納されている自動測定ソフトウエア１０ｂに従って、高電圧漏れ電流値をデータ処理し、電子銃の動作状態や交換時期の判断等の判定を行う。
【００５９】
なお、図２において、Ａ，Ｂ，Ｃ，Ｄはそれぞれフィラメント電流、エミッション電流、高電圧漏れ電流、及び測定電流を示している。この内、エミッション電流Ｂと高電圧漏れ電流Ｃはグラウンドから高圧電源４を通って電子銃駆動回路３へ流入する。電流計５は、この高圧電源４から電子銃駆動回路３へ流入する電流を測定電流Ｄとして測定する。
【００６０】
図３は本発明の第１の態様における装置稼働時と高電圧漏れ電流測定時における各部（Ａ〜Ｄ）の電流を示し、図３（ａ）はフィラメント電流を示し、図３（ｂ）はエミッション電流を示し、図３（ｃ）は高電圧漏れ電流を示し、図３（ｄ）は測定電流を示している。
【００６１】
測定稼働時には、エミッション電流を発生させるに要する電流値以上のフィラメント電流A1がフィラメントに供給され、エミッション電流B1が流れる。このとき、高電圧電源から電子銃駆動回路へ高電圧漏れ電流C1が流れ込んでいる場合には、測定電流D1はエミッション電流B1と高電圧漏れ電流C1とが加算された電流を測定し、フィードバックされる。
【００６２】
また、高電圧漏れ電流測定時には、フィラメント電流A2はオフ状態となり、エミッション電流B2の放出は停止される。このとき、高電圧電源から電子銃駆動回路へ高電圧漏れ電流C2が流れ込んでいる場合には、測定電流D2は高電圧漏れ電流C2を測定する。
【００６３】
図４は、本発明の第１の態様における高電圧漏れ電流の測定モードでの工程を設定するためのフローチャートである。
【００６４】
なお、ここでは、装置が稼働状態にある間に自動で測定モードが設定され、高電圧漏れ電流を測定し、この測定結果に基づいて電子銃等の良否判定を行う場合について説明する。
【００６５】
ローカル制御回路１０ｃは、電子銃駆動回路３のフィラメント電流ドライバ３ａにフィラメント電流オフ指令を送って、全電子銃のフィラメントをオフとする(S1)。
【００６６】
フィラメントは、稼働中に加熱されているため、フィラメントオフ指令が出された直後においても熱電子を発生する。フィラメントオフ指令の後、フィラメントの温度が熱電紙の発生温度以下となった時点で、エミッション電流の流出が停止する。そこで、第１の態様では、フィラメントオフ指令が出されてから、所定の待ち時間が経過し、エミッション電流の流出の停止が確実となった時点の後に(S2)、各電子銃のエミッション電流を測定する。エミッション電流が停止している場合には、このエミッション電流の測定で得られる電流は、高電圧漏れ電流となる(S3)。
【００６７】
この測定電流（エミッション電流）の測定を、指定測定間隔（時間間隔）で指定回数行う(S4,S5)。測定電流を指定回数繰り返すのは、誤差成分を低減して測定精度を高めるためである。
【００６８】
全電子銃について、高電圧漏れ電流の測定が終了した後、ローカル制御回路１０ｃは、電子銃駆動回路３のフィラメント電流ドライバ３ａにフィラメント電流オン指令を送って、全電子銃のフィラメントをオンとする(S6)。
【００６９】
取得した高電圧漏れ電流の測定結果に基づいて電子銃等の良否判定を行い、測定結果や判定結果を表示する(S7)。
【００７０】
第１の態様において、自動測定の条件としては、例えば測定時期としての測定間隔、測定データの平均をとるためのサンプリング数、平均化時の複数測定間隔等がある。また、電子銃の良否を判断する高電圧漏れ電流のしきい値としては、例えば、正常範囲、要注意範囲、電子銃の交換必要範囲を設定する値とすることができる。また、判定結果は、例えば色分けによって表示することができる。
【００７１】
第１の態様によれば、装置稼動状態で検査の合間に測定を行うことができるため、検査装置のダウンタイムを縮小することができ、単位時間当たりの検査量を増やすことができる。
【００７２】
第１の態様によれば、自動測定によって、測定時間を必要最小限に短縮することができる。
【００７３】
また、取得したデータの判断を予め設定した基準で実行することで、安定した判定を行うことができる。
【００７４】
また、装置稼動を止めずに、検査の合間を利用して自動測定・判定を行うことができる。
【００７５】
次に、第２の態様について説明する。図５は第２の態様の概略構成を説明するためのブロック図である。第２の態様は、フィラメント電流を低減する点で第１の態様と相違し、その他の構成については同様とすることができる。
【００７６】
以下、第１の構成と共通する部分については簡略に説明する。
【００７７】
図５において、電子ビームを用いる装置は、電子銃２と電子銃２にフィラメント電流を供給して電子銃２を駆動する電子銃駆動回路３と、電子銃２の駆動源を構成する高電圧電源４と、高電圧電源４から電子銃駆動回路３へ流入する電流を測定する電流計５と、電子銃駆動回路３を制御する制御回路１０とを備える。
【００７８】
高電圧漏れ電流測定装置１は、上記した装置構成において、制御回路１０中に測定モードに設定する機能、及び測定モード時に電流計５が測定する電流を高電圧漏れ電流として入力し、測定電流に基づいて電子銃の動作状態や交換時期の判断等の判定を行う機能を備える。これらの基本的な構成は前記した第１の構成と同様とすることができる。
【００７９】
電子銃２、及び電子銃２によって測定装置を形成するときの構成は、第１の態様と同様の構成とすることができる。
【００８０】
電子銃駆動回路３は、フィラメント２ａに駆動用電流あるいは測定用電流を供給するフィラメント電流ドライバ３ａと、このフィラメント電流ドライバ３ａとフィラメント２ａとの間に設けられる電流制限回路３ｂとを備える。フィラメント電流ドライバ３ａは、制御回路１０からの制御信号に基づいて、装置稼働時及び測定時に、エミッション電流指令値に基づいてフィラメント電流を生成し、このフィラメント電流を電流制限回路３ｂを介してフィラメント２ａに供給する。
【００８１】
制御回路１０は、前記した第１の態様と同様に、ホスト制御回路１０ａとローカル制御回路１０ｃを備える。
【００８２】
ホスト制御回路１０ａは自動測定ソフトウエア１０ｂを備え、ローカル制御回路１０ｃにコマンドやデータを送って、装置稼働時及び高電圧漏れ電流の測定時における制御を指令する。
【００８３】
ローカル制御回路１０ｃは、ホスト制御回路１０ａから送られるコマンドやデータに基づいて、装置稼働モードあるいは測定（高電圧漏れ電流測定）モードを設定し、各モードにおいて電子銃駆動回路３を制御する。
【００８４】
装置稼働モードでは、第１の態様と同様に、ローカル制御回路１０ｃはエミッション電流指令値を電子銃駆動回路３に指令する。電子銃駆動回路３は、このエミッション電流指令値と、電流計５を介してフィードバックされたエミッション電流値（測定値）とを比較し、エミッション電流値（測定値）がエミッション電流指令値と一致するように、フィラメント２ａに流すフィラメント電流を制御する。
【００８５】
一方、高電圧漏れ電流測定モードでは、ローカル制御回路１０ｃはフィラメント電流制限指令を電流制御回路３ｂに指令する。電流制限回路３ｂは、このフィラメント電流制限指令に基づいて、フィラメント電流ドライバ３ａからフィラメント２ａに向けて出力されたフィラメント電流の電流値を制する。
【００８６】
電子銃２は、供給されるフィラメント電流の電流値が制限され、エミッション電流を放出するための最小のフィラメント電流以下となると、エミッション電流２ｄの流出が停止する。
【００８７】
したがって、電流計５は、電子銃や制御回路からの漏れ電流を測定する。ローカル制御回路１０ｃは、電流計５で測定した電流を入力し、ホスト制御回路１０ａに格納されている自動測定ソフトウエア１０ｂに従って、高電圧漏れ電流値をデータ処理し、電子銃の動作状態や交換時期の判断等の判定を行う。
【００８８】
第２の態様では、フィラメント２ａには、エミッション電流が流出しない程度の電流制限された電流が流れている。そのため、フィラメント２ａは電流によって加熱され、高電圧漏れ電流測定時においても、装置稼働時と同様の温度状態とすることができる。これによって、装置稼働時と同様の温度状態において高電圧漏れ電流を測定することができる。また、温度状態の変動を小さく抑えることができるため、測定高電圧漏れ電流測定モードが終了した後、すぐに装置稼働モードに戻すことができる。
【００８９】
なお、手動によって測定モードに切り換える場合には、フィラメントに電流が流れないことにより測定モード中に温度が低下するため、測定終了後に装置稼働モードに戻して場合には、測定開始前と異なる温度状態で装置を稼働とするか、あるいは、温度状態が元に戻るまで待たなければならない。
【００９０】
なお、図５において、Ａ，Ｂ，Ｃ，Ｄはそれぞれフィラメント電流、エミッション電流、高電圧漏れ電流、及び測定電流を示している。図２と同様に、エミッション電流Ｂと高電圧漏れ電流Ｃはグラウンドから高圧電源４を通って電子銃駆動回路３へ流入し、電流計５はこの電流を測定電流Ｄとして測定する。
【００９１】
図６は本発明の第２の態様における装置稼働時と高電圧漏れ電流測定時における各部（Ａ〜Ｄ）の電流を示し、図６（ａ）はフィラメント電流を示し、図６（ｂ）はエミッション電流を示し、図６（ｃ）は高電圧漏れ電流を示し、図６（ｄ）は測定電流を示している。
【００９２】
測定稼働時には、エミッション電流を発生させるに要する電流値以上のフィラメント電流A1がフィラメントに供給され、エミッション電流B1が流れる。このとき、測定電流D1はエミッション電流B1と高電圧漏れ電流C1とが加算された電流を測定し、フィードバックされる。
【００９３】
また、高電圧漏れ電流測定時には、フィラメント電流A2は低減され、この電流低減によりエミッション電流B2の放出は停止される。このとき、測定電流D2は高電圧漏れ電流C2を測定する。
【００９４】
図７は、本発明の第２の態様における高電圧漏れ電流の測定モードでの工程を設定するためのフローチャートである。
【００９５】
なお、ここでは、装置が稼働状態にある間に自動で測定モードが設定され、高電圧漏れ電流を測定し、この測定結果に基づいて電子銃等の良否判定を行う場合について説明する。
【００９６】
ローカル制御回路１０ｃは、電子銃駆動回路３のフィラメント電流ドライバ３ａにフィラメント電流低減指令を送って、全電子銃のフィラメントに供給するフィラメント電流を低減する。フィラメント電流が低減し、エミッション電流の流出に要する電流値以下となると、フィラメントはエミッション電流の流出を停止する(S11)。
【００９７】
フィラメントは、稼働中に加熱されているため、フィラメント電流低減指令が出された直後においても熱電子を発生する。フィラメント電流低減指令の後、フィラメントの温度が熱電紙の発生温度以下となった時点で、エミッション電流の流出が停止する。そこで、第２の態様では、フィラメント電流低減指令が出されてから、所定の待ち時間が経過し、エミッション電流の流出の停止が確実となった時点の後に(S12)、各電子銃のエミッション電流を測定する。エミッション電流が停止している場合には、このエミッション電流の測定で得られる電流は、高電圧漏れ電流となる(S13)。
【００９８】
この測定電流（エミッション電流）の測定を、指定測定間隔（時間間隔）で指定回数行う(S14,S15)。測定電流を指定回数繰り返すのは、誤差成分を低減して測定精度を高めるためである。
【００９９】
全電子銃について、高電圧漏れ電流の測定が終了した後、ローカル制御回路１０ｃは、電子銃駆動回路３のフィラメント電流ドライバ３ａへのフィラメント電流低減指令の送出を停止し、全電子銃のフィラメントへ供給するフィラメント電流の電流値を復帰させる(S16)。
【０１００】
取得した高電圧漏れ電流の測定結果に基づいて電子銃等の良否判定を行い、測定結果や判定結果を表示する(S17)。
【０１０１】
第２の態様において、自動測定の条件としては、例えば測定時期としての測定間隔、測定データの平均をとるためのサンプリング数、平均化時の複数測定間隔等がある。また、電子銃の良否を判断する高電圧漏れ電流のしきい値としては、例えば、正常範囲、要注意範囲、電子銃の交換必要範囲を設定する値とすることができる。また、判定結果は、例えば色分けによって表示することができる。
【０１０２】
第２の態様によれば、フィラメントをオフとすることなく、フィラメント電流を一時的に低減させ、自動測定中にフィラメントから発生する発熱量を稼働状態に近づけることで稼動復帰に要する暖機運転を短縮することができる。
【０１０３】
次に、第３の態様について説明する。図８は第３の態様の概略構成を説明するためのブロック図である。第３の態様は、ウェーネルトによってエミッション電流を制御する点で第１の態様と相違し、その他の構成については同様とすることができる。
【０１０４】
以下、第１の構成と共通する部分については簡略に説明する。図８において、電子ビームを用いる装置は、電子銃２と電子銃２にフィラメント電流を供給して電子銃２を駆動する電子銃駆動回路３と、電子銃２の駆動源を構成する高電圧電源４と、高電圧電源４から電子銃駆動回路３へ流入する電流を測定する電流計５と、電子銃駆動回路３を制御する制御回路１０とを備える。
【０１０５】
高電圧漏れ電流測定装置１は、上記した装置構成において、制御回路１０中に測定モードに設定する機能、及び測定モード時に電流計５が測定する電流を高電圧漏れ電流として入力し、測定電流に基づいて電子銃の動作状態や交換時期の判断等の判定を行う機能を備える。これらの基本的な構成は前記した第１の構成と同様とすることができる。
【０１０６】
電子銃２、及び電子銃２によって測定装置を形成するときの構成は、第１の態様と同様の構成とすることができる。なお、図５では、検出器６，測定装置７は省略している。
【０１０７】
電子銃駆動回路３は、フィラメント２ａに駆動用電流あるいは測定用電流を供給するフィラメント電流ドライバ３ａと、このフィラメント電流ドライバ３ａとフィラメント２ａとの間に設けられる電流制限回路３ｂと、ウェーネルト２ｂに負電圧を印加する可変電源３ｃを備える。フィラメント電流ドライバ３ａは、制御回路１０からの制御信号に基づいて、装置稼働時及び測定時に、エミッション電流指令値に基づいてフィラメント電流を生成し、このフィラメント電流を電流制限回路３ｂを介してフィラメント２ａに供給する。
【０１０８】
制御回路１０は、前記した第１の態様と同様に、ホスト制御回路１０ａとローカル制御回路１０ｃを備える。
【０１０９】
ホスト制御回路１０ａは自動測定ソフトウエア１０ｂを備え、ローカル制御回路１０ｃにコマンドやデータを送って、装置稼働時及び高電圧漏れ電流の測定時における制御を指令する。
【０１１０】
ローカル制御回路１０ｃは、ホスト制御回路１０ａから送られるコマンドやデータに基づいて、装置稼働モードあるいは測定（高電圧漏れ電流測定）モードを設定し、各モードにおいて電子銃駆動回路３を制御する。
【０１１１】
装置稼働モードでは、第１の態様と同様に、ローカル制御回路１０ｃはエミッション電流指令値を電子銃駆動回路３に指令する。電子銃駆動回路３は、このエミッション電流指令値と、電流計５を介してフィードバックされたエミッション電流値（測定値）とを比較し、エミッション電流値（測定値）がエミッション電流指令値と一致するように、フィラメント２ａに流すフィラメント電流を制御する。
【０１１２】
一方、高電圧漏れ電流測定モードでは、ローカル制御回路１０ｃはウェーネルト電圧指令を可変電源３ｃに指令し、また、制限電流値指令を電流制限回路３ｂに指令する。
【０１１３】
可変電源３ｃは、ウェーネルト電圧指令で設定される負電圧をウェーネルト２ｂに印加する。負電圧が印加されたウェーネルト２ｂは、フィラメント２ａから放出した電子の放出を制限してエミッション電流の流出を停止する。
【０１１４】
フィラメント電流ドライブ３ａは、装置稼働時と同様に、電流計５からのエミッション電流をフィードバックし、ローカル制御装置１０ｃから指令されたエミッション電流指令値との差に基づいて、エミッション電流が指令値となるようにフィラメント電流を制御し、電流制限回路３ｂを通してフィラメント２ａに送る。
【０１１５】
このように、フィラメント電流ドライブ３ａは、エミッション電流のフィードバック制御を行うため、ウェーネルト電圧指令によってウェーネルト２ｂに負電圧が印加されてエミッション電流が停止すると、エミッション電流をエミッション電流指令値となるように増加させようとして、フィラメント電流を増加させる制御を行う。
【０１１６】
このように、フィードバック制御によってフィラメント電流が増加すると、フィラメント２ａに過大な電流が流れ、フィラメント温度も上昇することになり、装置稼働状態と異なる温度環境となる。
【０１１７】
そこで、本発明の第３の態様では、ローカル制御回路１０ｃは、電流制限回路３ｂに制限電流値指令を送る。電流制限回路３ｂは、フィラメント電流ドライブ３ａから送られた過大なフィラメント電流を制限電流値指令に従って制限する。この電流制限によって、フィラメント２ａのフィラメント温度は、通常の装置稼働時と同様の温度に抑制される。これによって、電子銃２ａ及びその周囲の温度環境を装置稼働時と同様とした状態のままで、高電圧漏れ電流を測定することができる。
【０１１８】
電流計５は、高電圧電源４の碍子表面から漏れる漏れ電流を測定する。ローカル制御回路１０ｃは、電流計５で測定した電流を入力し、ホスト制御回路１０ａに格納されている自動測定ソフトウエア１０ｂに従って、高電圧漏れ電流値をデータ処理し、電子銃の動作状態や交換時期の判断等の判定を行う。
【０１１９】
第３の態様では、フィラメント２ａには、高電圧漏れ電流測定時においても通常の装置稼働時と同様の電流が流れ、装置稼働時と同様の温度状態とすることができる。これによって、装置稼働時と同様の温度状態において高電圧漏れ電流を測定することができる。また、温度状態の変動を小さく抑えることができるため、測定高電圧漏れ電流測定モードが終了した後、すぐに装置稼働モードに戻すことができる。
【０１２０】
図９，１０において、Ａ，Ｂ，Ｃ，Ｄはそれぞれフィラメント電流、エミッション電流、高電圧漏れ電流、及び測定電流を示し、Ｅはウェーネルト電圧を示している。図２と同様に、エミッション電流Ｂと高電圧漏れ電流Ｃはグラウンドから高圧電源４を通って電子銃駆動回路３へ流入し、電流計５はこの電流を測定電流Ｄとして測定する。
【０１２１】
図９は本発明の第３の態様においてフィラメント電流を制限しない場合を示し、図１０はフィラメント電流を制限した場合を示し、図９（ａ），図１０（ａ）はフィラメント電流を示し、図９（ｂ），図１０（ｂ）はウェーネルト電圧を示し、図９（ｃ），図１０（ｃ）はミッション電流を示し、図９（ｄ），図１０（ｄ）は電子銃の温度を示し、図９（ｅ），図１０（ｅ）は高電圧漏れ電流を示し、図９（ｆ），図１０（ｆ）は測定電流を示している。
【０１２２】
フィラメント電流を制限しない場合には、ウェーネルト電圧の負電圧が高まることで（図９（ｂ）中の丸数字１）、エミッション電流が停止する（図９（ｃ）中の丸数字２）。エミッション電流の停止によって、測定電流は高電圧漏れ電流のみとなる（図９（ｆ）中の丸数字５）。
【０１２３】
また、エミッション電流が停止すると、エミッション電流のフィードバック制御によってフィラメント電流が上昇し（図９（ａ）中の丸数字３）、電子銃の温度が上昇する（図９（ｄ）中の丸数字４）。
【０１２４】
一方、フィラメント電流を制限した場合には、フィラメント電流を制限しない場合と同様に、ウェーネルト電圧の負電圧が高まることで（図１０（ｂ）中の丸数字１）、エミッション電流が停止する（図１０（ｃ）中の丸数字２）。エミッション電流の停止によって、測定電流は高電圧漏れ電流のみとなる（図１０（ｆ）中の丸数字５）。
【０１２５】
一方、エミッション電流が停止すると、エミッション電流のフィードバック制御によってフィラメント電流を上昇させようとするが、制限電流値指定によって電流制限され（図１０（ａ）中の丸数字３）、電子銃の温度の上昇は抑制される（図１０（ｄ）中の丸数字４）。
【０１２６】
図１１は、本発明の第３の態様における高電圧漏れ電流の測定モードでの工程を設定するためのフローチャートである。
【０１２７】
なお、ここでは、装置が稼働状態にある間に自動で測定モードが設定され、高電圧漏れ電流を測定し、この測定結果に基づいて電子銃等の良否判定を行う場合について説明する。
【０１２８】
ローカル制御回路１０ｃは、電子銃駆動回路３の電流制限回路３ｂに制御電圧値指令を送って、全電子銃のフィラメントに供給するフィラメント電流を稼働時と同じ電流値に制限する(S21)。また、ローカル制御回路１０ｃは、電子銃駆動回路３の可変電源３ｃにウェーネルト電圧指令を送って、全電子銃のウェーネルトに印加する電圧をカットオフレベルに下げ、エミッション電流の流出を停止する(S22)。
【０１２９】
フィラメントは、稼働中に加熱されているため、ウェーネルト電圧指令が出された直後においても熱電子を発生する。
【０１３０】
ウェーネルト電圧指令の後、所定の待ち時間が経過してエミッション電流の流出の停止が確実となった時点の後に(S23)、各電子銃のエミッション電流を測定する。エミッション電流が停止している場合には、このエミッション電流の測定で得られる電流は、高電圧漏れ電流となる(S24)。
【０１３１】
この測定電流（エミッション電流）の測定を、指定測定間隔（時間間隔）で指定回数行う(S25,S26)。測定電流を指定回数繰り返すのは、誤差成分を低減して測定精度を高めるためである。
【０１３２】
全電子銃について、高電圧漏れ電流の測定が終了した後、ローカル制御回路１０ｃは、電子銃駆動回路３の電流制限回路３ｂに対するフィラメント電流制限を稼働時の条件に戻し(S27)、可変電源３ｃに対するウェーネルト電圧を稼働時の条件に戻す(S28)。
【０１３３】
取得した高電圧漏れ電流の測定結果に基づいて電子銃等の良否判定を行い、測定結果や判定結果を表示する(S29)。
【０１３４】
第３の態様において、自動測定の条件としては、例えば測定時期としての測定間隔、測定データの平均をとるためのサンプリング数、平均化時の複数測定間隔等がある。また、電子銃の良否を判断する高電圧漏れ電流のしきい値としては、例えば、正常範囲、要注意範囲、電子銃の交換必要範囲を設定する値とすることができる。また、判定結果は、例えば色分けによって表示することができる。
【０１３５】
第３の態様によれば、高電圧漏れ電流の測定時でもフィラメント電流を実稼働状態と同一にしたままでの構成とすることができ、電子銃の発熱条件を常に一定にすることができる。
【０１３６】
また、第３の態様によれば、電子銃の発熱条件を変化させることなく、暖機運転が不要となり、すぐに稼働状態に移行することができる。
【産業上の利用可能性】
【０１３７】
本発明の高電圧漏れ電流測定装置は、液晶アレイ基板や有機ＥＬアレイ基板を検査する検査装置に適用することができる。
【図面の簡単な説明】
【０１３８】
【図１】本発明の概略を説明するためのブロック図である。
【図２】本発明の第１の態様の概略構成を説明するためのブロック図である。
【図３】本発明の第１の態様における装置稼働時と高電圧漏れ電流測定時における各部の電流を示す図である。
【図４】本発明の第１の態様における高電圧漏れ電流の測定モードでの工程を設定するためのフローチャートである。
【図５】本発明の第２の態様の概略構成を説明するためのブロック図である。
【図６】本発明の第２の態様における装置稼働時と高電圧漏れ電流測定時における各部の電流を示す図である。
【図７】本発明の第２の態様における高電圧漏れ電流の測定モードでの工程を設定するためのフローチャートである。
【図８】本発明の第３の態様の概略構成を説明するためのブロック図である。
【図９】本発明の第３の態様においてフィラメント電流を制限しない場合を示す図である。
【図１０】本発明の第３の態様においてフィラメント電流を制限した場合を示す図である。
【図１１】本発明の第３の態様における高電圧漏れ電流の測定モードでの工程を設定するためのフローチャートである。
【図１２】稼働状態及び測定状態における概略構成を説明するための図である。
【図１３】稼働状態及び測定状態における信号を説明するための図である。
【符号の説明】
【０１３９】
１…ＴＦＴアレイ検査装置、２…電子銃、２ａ…フィラメント、２ｂ…ウェーネルト、２ｃ…真空チャンバ、２ｄ…エミッション電流、２ｅ…ビーム電流、３…電子銃駆動回路、３ａ…フィラメント電流ドライバ、３ｂ…電流制限回路、３ｃ…可変電源、４…高電圧電源、５…電流計、６…検出器、７…測定装置、９…被検体、１０…制御回路、１０ａ…ホスト制御回路、１０ｂ…自動判定ソフトウエア、１０ｃ…ローカル制御回路。
【図１】
0004636436.tif 000002
【図２】
0004636436.tif 000003
【図３】
0004636436.tif 000004
【図４】
0004636436.tif 000005
【図５】
0004636436.tif 000006
【図６】
0004636436.tif 000007
【図７】
0004636436.tif 000008
【図８】
0004636436.tif 000009
【図９】
0004636436.tif 000010
【図１０】
0004636436.tif 000011
【図１１】
0004636436.tif 000012
【図１２】
0004636436.tif 000013
【図１３】
0004636436.tif 000014